(57)【特許請求の範囲】
【請求項１】
被照明体を照明する発光色の異なる複数の発光素子と、前記各発光素子に供給する各電流値を制御する制御部と、前記被照明体を照明する照明色を変更する照明色変更操作を行う操作部と、を備えてなる照明装置であって、
前記制御部は、前記照明色変更操作に応じて、前記各発光素子に供給する前記各電流値の合計を合計電流値としたとき、前記合計電流値が所定の合計制限電流値を超えないように前記各電流値を設定し、かつ、少なくとも１つの発光素子に供給する電流値を、前記合計制限電流値を前記各発光素子のライン数で等分した制限電流値より小さい値に設定する場合に、他の発光素子に供給する電流値を前記制限電流値より大きい値に設定可能であり、
前記各発光素子に供給する前記各電流値を設定する各設定データの組み合わせからなる複数種類の照明色設定データを記憶する記憶部を備え、
前記照明色設定データは、少なくとも１つの前記発光素子に供給する前記電流値を前記制限電流値よりも小さい第１の値に設定する第１の設定データと、前記他の発光素子に供給する前記電流値を前記制限電流値以下の第２の値に設定する第２の設定データと、を前記各設定データに含む第１の照明色設定データと、前記第１の設定データと、前記他の発光素子に供給する前記電流値を前記制限電流値より大きい第３の値に設定する第３の設定データと、を前記各設定データに含む第２の照明色設定データと、を少なくとも有し、
前記制御部は、前記照明色変更操作に応じて、前記第１の照明色設定データに替えて前記第２の照明色設定データを用いて、少なくとも１つの前記発光素子に供給する前記電流値を前記制限電流値より小さい値に設定する場合に、前記他の発光素子に供給する前記電流値を前記制限電流値より大きい値に設定可能であり、
前記各設定データは、前記各発光素子のＰＷＭ制御におけるデューティー比であり、
前記制御部は、前記各発光素子のうち２つ以上に電流を供給する場合に、前記各発光素子に供給する電流のＰＷＭ制御のオン時間が重複するように制御すること
を特徴とする照明装置。
【発明の詳細な説明】
【技術分野】
【０００１】
本発明は、被照明体を照明する発光素子を備えた照明装置に関するものである。
【背景技術】
【０００２】
従来、この種の照明装置として、アナログ式の車両用計器の表示板の背面側に配置され、ＬＥＤ（Light  Emitting  Diode）等の光源（発光素子）を発光させて背面側から被照明体である表示板あるいは指針を照明するものが知られている（例えば、特許文献１参照）。また、かかる照明装置において、発光色の異なる複数の発光素子を備え、ユーザの操作によって各発光素子の点灯・非点灯を切り替えて照明色を変更可能とするものも知られている（例えば、特許文献２参照）。
【先行技術文献】
【特許文献】
【０００３】
【特許文献１】特開２００９−３２７４４０号公報
【特許文献２】特開２０１０−２５８９７号公報
【発明の開示】
【発明が解決しようとする課題】
【０００４】
一方、発光色の異なる複数の発光素子を備える照明装置においては、発光素子の点灯による熱量が許容値を超えないようにするため、各発光素子に供給する電流値の合計が所定の電流値（合計の定格電流値）を超えないように、各発光素子に供給する電流値を、定格電流値を各発光素子に割り振った（例えば定格電流値を発光素子のライン数で等分した）個々の定格電流値を超えないように制御する方法が一般的である。しかしながら、照明色を変更可能とする場合には、照明色によっては発光素子の少なくとも１つが非点灯となったり、個々の定格電流値より小さい電流値が供給されることがあり、合計の定格電流値で余裕がある場合にその余裕分を十分に活用できていないという点で更なる改善の余地があった。
【０００５】
本発明は、前述の問題点に鑑み、合計の定格電流値の余裕分を活用して、照明表現の幅を広げることが可能な照明装置を提供することを目的とする。
【課題を解決するための手段】
【０００６】
本発明の照明装置は、前記課題を解決するため、被照明体を照明する発光色の異なる複数の発光素子と、前記各発光素子に供給する各電流値を制御する制御部と、前記被照明体を照明する照明色を変更する照明色変更操作を行う操作部と、を備えてなる照明装置であって、
前記制御部は、前記照明色変更操作に応じて、前記各発光素子に供給する前記各電流値の合計を合計電流値としたとき、前記合計電流値が所定の合計制限電流値を超えないように前記各電流値を設定し、かつ、少なくとも１つの発光素子に供給する電流値を、前記合計制限電流値を前記各発光素子のライン数で等分した制限電流値より小さい値に設定する場合に、他の発光素子に供給する電流値を前記制限電流値より大きい値に設定可能であり、
前記各発光素子に供給する前記各電流値を設定する各設定データの組み合わせからなる複数種類の照明色設定データを記憶する記憶部を備え、
前記照明色設定データは、少なくとも１つの前記発光素子に供給する前記電流値を前記制限電流値よりも小さい第１の値に設定する第１の設定データと、前記他の発光素子に供給する前記電流値を前記制限電流値以下の第２の値に設定する第２の設定データと、を前記各設定データに含む第１の照明色設定データと、前記第１の設定データと、前記他の発光素子に供給する前記電流値を前記制限電流値より大きい第３の値に設定する第３の設定データと、を前記各設定データに含む第２の照明色設定データと、を少なくとも有し、
前記制御部は、前記照明色変更操作に応じて、前記第１の照明色設定データに替えて前記第２の照明色設定データを用いて、少なくとも１つの前記発光素子に供給する前記電流値を前記制限電流値より小さい値に設定する場合に、前記他の発光素子に供給する前記電流値を前記制限電流値より大きい値に設定可能であり、
前記各設定データは、前記各発光素子のＰＷＭ制御におけるデューティー比であり、
前記制御部は、前記各発光素子のうち２つ以上に電流を供給する場合に、前記各発光素子に供給する電流のＰＷＭ制御のオン時間が重複するように制御すること
を特徴とする。
【発明の効果】
【０００７】
本発明は、合計の定格電流値の余裕分を活用して、照明表現の幅を広げることが可能となる。
【図面の簡単な説明】
【０００８】
【図１】本発明の実施形態である照明装置の制御回路を示す図である。
【図２】同上照明装置の記憶部に記憶されるデータテーブルを示す図である。
【発明を実施するための形態】
【０００９】
以下、本発明の実施形態を添付図面に基づいて説明する。
【００１０】
本実施形態である照明装置１は、周知のアナログ式の車両用計器の表示板の背面側に配置され、背面側より前記表示板を透過照明するものである。図１は、照明装置１の制御回路を示す図である。照明装置１は、赤色ＬＥＤ１０Ｒ，緑色ＬＥＤ１０Ｇ及び青色ＬＥＤ１０ＢからなるＬＥＤ群（複数の発光素子の一例）１０と、トランジスタ２１〜２３と、制限抵抗３１〜３３と、制御部４０と、記憶部５０と、操作部６０と、から主に構成され、各部が回路基板（図示しない）に実装される。なお、Ｖｂはバッテリー電源である。
【００１１】
ＬＥＤ群１０は、照明装置１の光源となるものであり、発光色が赤色の赤色ＬＥＤ１０Ｒと発光色が緑色の緑色ＬＥＤ１０Ｇと発光色が青色の青色ＬＥＤ１０Ｂを有する。発光色が異なる各ＬＥＤ１０Ｒ，１０Ｇ，１０Ｂは、アノード側がそれぞれ制限抵抗３１〜３３を介して電源（バッテリー電源）Ｖｂと接続され、カソード側がそれぞれトランジスタ２１〜２３を介してグランド電位（０Ｖ）に接地される。したがって、本実施形態においては、３個の各ＬＥＤ１０Ｒ，１０Ｇ，１０Ｂがそれぞれ並列に接続されるため、各ＬＥＤ１０Ｒ，１０Ｇ，１０Ｂのライン数（各ＬＥＤ１０Ｒ，１０Ｇ，１０Ｂが接続される配線の数）は３本となる。なお、３つのＬＥＤ１０Ｒ，１０Ｇ，１０Ｂのうち２つが直列に接続される場合は、各ＬＥＤ１０Ｒ，１０Ｇ，１０Ｂのライン数は２本となる。
【００１２】
トランジスタ２１〜２３は、オンオフ状態の切り替えによって電源Ｖｂから各ＬＥＤ１０Ｒ，１０Ｇ，１０Ｂへの電流供給のオンオフ、すなわち、各ＬＥＤ１０Ｒ，１０Ｇ，１０Ｂの発光／非発光を制御するためのスイッチ素子である。トランジスタ２１〜２３は、コレクタ側がそれぞれ各ＬＥＤ１０Ｒ，１０Ｇ，１０Ｂのカソード側と接続され、エミッタ側がそれぞれグランド電位に接地され、ベース側がそれぞれ制御部４０の出力ポートに接続されている。
【００１３】
制限抵抗３１〜３３は、一端がそれぞれ電源Ｖｂに接続され、他端が各ＬＥＤ１０Ｒ，１０Ｇ，１０Ｂのアノード側と接続されて電源Ｖｂから各ＬＥＤ１０Ｒ，１０Ｇ，１０Ｂに供給される電流値を所定の値に制限する。なお、制限抵抗３１〜３３で制限される電流値は、後述する個々の定格電流値より大きい値であるものとする。
【００１４】
制御部４０は、主としてマイクロコンピュータから構成されるものであり、所定の処理プログラムを実行するＣＰＵ（Central  Processing  Unit）と、ＣＰＵのメインメモリとして機能するＲＡＭ（Random  Access  Memory）と、前記処理プログラム等が記憶されたＲＯＭ（Read  Only  Memory）と、操作部６０からの操作信号を入力する入力ポート及び前記処理プログラムに基づいてトランジスタ２１〜２３のオンオフ状態を制御する駆動波形信号（ＰＷＭ信号）を出力する出力ポートを有する入出力インターフェース等を備える。
【００１５】
記憶部５０は、Ｅ２ＰＲＯＭなどの不揮発性メモリからなり、後で詳述する各ＬＥＤ１０Ｒ，１０Ｇ，１０ＢのＰＷＭ制御におけるデューティー比（設定データ）の組み合わせからなるデータテーブル（照明色設定データ）等を記憶する。
【００１６】
操作部６０は、例えば押しボタンスイッチなどのスイッチ素子を備え、ユーザが所定の設定操作を行うものである。本実施形態においては、操作部６０は、ユーザによる前記表示板の照明色を変更する照明色変更操作に応じて制御部４０の前記入力ポートに所定の操作信号を入力する。
【００１７】
（照明装置１の制御方法）
図２は、記憶部５０に記憶される、各ＬＥＤ１０Ｒ，１０Ｇ，１０ＢのＰＷＭ制御における各デューティー比の組み合わせからなる複数の照明色設定データを有する前記データテーブルを示す図である。
制御部４０は、操作部６０から前記照明色変更操作に応じた操作信号を入力すると、記憶部５０から設定番号順に各デューティー比の組み合わせからなる照明色設定データを読み出し、読み出したデューティー比にて前記各駆動波形信号を出力することでトランジスタ２１〜２３のオンオフ状態をそれぞれ制御し、各ＬＥＤ１０Ｒ，１０Ｇ，１０Ｂに所定の電流値を供給して所望の発光輝度で発光させる。すなわち、各デューティー比の設定によって各ＬＥＤ１０Ｒ，１０Ｇ，１０Ｂに供給する各電流値が設定されることとなる。なお、照明色設定データにおける各デューティー比は、各ＬＥＤ１０Ｒ，１０Ｇ，１０Ｂに供給される各電流値の合計を合計電流値としたとき、前記合計電流値が所定の合計定格電流値（各ＬＥＤ１０Ｒ，１０Ｇ，１０Ｂが安全に使用できる合計の電流値；合計制限電流値）を超えない値に設定される。すなわち、制御部４０は、照明色設定データによって、各ＬＥＤ１０Ｒ，１０Ｇ，１０Ｂに供給する各電流値をその合計が前記合計定格電流値を超えないように１つのまとまりとして制御する。例えば、設定番号が「１」の前記照明色設定データを読み出した場合、制御部４０は、５０％のデューティー比にてトランジスタ２１〜２３に前記各駆動波形信号を出力し、各ＬＥＤ１０Ｒ，１０Ｇ，１０Ｂに制限抵抗３１〜３３で定められる最大電流値に対して５０％の電流値を供給して発光させる。この場合、ＬＥＤ１０Ｒ，１０Ｇ，１０Ｂが全て概ね同じ輝度で発光するため、前記表示板を照明するＬＥＤ群１０の照明色は白色となる。本実施形態においては、ユーザによる前記照明色変更操作に応じて、制御部４０が照明色設定データを順次切り替えて読み出すことで、ＬＥＤ群１０の照明色を白色、緑色、青色、赤色、青緑に順次変更することができる。
【００１８】
さらに、照明装置１の制御方法の具体例について説明する。
なお、以下の説明においては、ＬＥＤ群１０の前記合計定格電流値が３０ｍＡであり、前記合計定格電流値を各ＬＥＤ１０Ｒ，１０Ｇ，１０Ｂのライン数（３本）で等分した定格電流値（制限電流値）が１０ｍＡであるものとする。そして、デューティー比が５０％である場合に各ＬＥＤ１０Ｒ，１０Ｇ，１０Ｂに供給される電流値が１０ｍＡとなり、デューティー比が７５％である場合に各ＬＥＤ１０Ｒ，１０Ｇ，１０Ｂに供給される電流値が１５ｍＡとなり、デューティー比が０％、すなわち非点灯の場合に各ＬＥＤ１０Ｒ，１０Ｇ，１０Ｂに供給される電流値が０ｍＡとなるものとする。
【００１９】
（設定番号「１」→設定番号「２」に照明色設定データが変更される場合）
各ＬＥＤ１０Ｒ，１０Ｇ，１０Ｂが設定番号「１」の照明色設定データに応じて制御されている状態においては、各ＬＥＤ１０Ｒ，１０Ｇ，１０ＢのＰＷＭ制御におけるデューティー比はいずれも５０％であって供給される各電流値は１０ｍＡである。この場合、各ＬＥＤ１０Ｒ，１０Ｇ，１０Ｂが全て発光するためＬＥＤ群１０の照明色は白色である。また、この場合、各ＬＥＤ１０Ｒ，１０Ｇ，１０Ｂに供給される各電流値は１０ｍＡであって前記定格電流値（１０ｍＡ）と同等であり、前記合計電流値は３０ｍＡであって前記合計定格電流値（３０ｍＡ）と同等である。かかる状態において、操作部６０からの前記照明色変更操作に応じた操作信号が制御部４０に入力されると、制御部４０は、設定番号「１」の照明色設定データに替えて、記憶部５０の前記データテーブルから設定番号「２」の照明色設定データ（第１の照明色設定データ）を読み出し、各ＬＥＤ１０Ｒ，１０Ｇ，１０ＢのＰＷＭ制御におけるデューティー比を変更することで各ＬＥＤ１０Ｒ，１０Ｇ，１０Ｂに供給される電流値を変更する。設定番号「２」の照明色設定データにおいて、赤色ＬＥＤ１０ＲのＰＷＭ制御におけるデューティー比は０％となって供給される電流値は前記定格電流値（１０ｍＡ）よりも小さい０ｍＡ（第１の値）となり、緑色ＬＥＤ１０ＧのＰＷＭ制御におけるデューティー比は５０％となって供給される電流値は前記定格電流値（１０ｍＡ）と等しい１０ｍＡ（第２の値）となり、青色ＬＥＤ１０ＢのＰＷＭ制御におけるデューティー比は０％となって供給される電流値は前記定格電流値（１０ｍＡ）よりも小さい０ｍＡ（第１の値）となる。この場合、緑色ＬＥＤ１０Ｇのみが発光するため、ＬＥＤ群１０の照明色は白色から緑色に変更される。
【００２０】
（設定番号「２」→設定番号「３」に照明色設定データが変更される場合）
各ＬＥＤ１０Ｒ，１０Ｇ，１０Ｂが設定番号「２」の照明色設定データに応じて制御されている状態においては、前記合計電流値は１０ｍＡであり、前記合計定格電流値（３０ｍＡ）に対して２０ｍＡの余裕がある状態となる。かかる状態において、操作部６０からの前記照明色変更操作に応じた操作信号が制御部４０に入力されると、制御部４０は、設定番号「２」の照明色設定データに替えて、記憶部５０の前記データテーブルから設定番号「３」の照明色設定データ（第２の照明色設定データ）を読み出し、各ＬＥＤ１０Ｒ，１０Ｇ，１０ＢのＰＷＭ制御におけるデューティー比を変更することで各ＬＥＤ１０Ｒ，１０Ｇ，１０Ｂに供給される電流値を変更する。設定番号「３」の前記照明色設定データにおいて、赤色ＬＥＤ１０ＲのＰＷＭ制御におけるデューティー比は０％となって供給される電流値は０ｍＡ（第１の値）となり、緑色ＬＥＤ１０ＧのＰＷＭ制御におけるデューティー比は７５％となって供給される電流値は前記定格電流値（１０ｍＡ）よりも大きい１５ｍＡ（第３の値）となり、青色ＬＥＤ１０ＢのＰＷＭ制御におけるデューティー比は０％となって供給される電流値は０ｍＡ（第１の値）となる。この場合、緑色ＬＥＤ１０Ｇに前記合計定格電流値の余裕分を振り分けて前記定格電流値（１０ｍＡ）よりも高い電流を供給し、より高い輝度で発光させることができる。これにより照明色の変更に加え、輝度の変更によって照明表現の幅を広げることができる。
【００２１】
このように、制御部４０は、操作部６０の前記照明色設定操作に応じて、設定番号「２」の照明色設定データに替えて設定番号「３」の照明色設定データを読み出すことで、赤色ＬＥＤ１０Ｒ，青色ＬＥＤ１０Ｂに供給する電流値を前記定格電流値よりも小さい値に設定する場合に、他の緑色ＬＥＤ１０Ｇに供給する電流値を前記定格電流値よりも大きい値に設定可能である。また、以下の場合も同様に、輝度の変更によって照明表現の幅を広げることができる。
【００２２】
（設定番号「４」→設定番号「５」に照明色設定データが変更される場合）
各ＬＥＤ１０Ｒ，１０Ｇ，１０Ｂが設定番号「４」の照明色設定データ（第１の照明色設定データ）に応じて制御されている状態においては、赤色ＬＥＤ１０ＲのＰＷＭ制御におけるデューティー比は０％であって供給される電流値は０ｍＡ（第１の値）であり、緑色ＬＥＤ１０ＧのＰＷＭ制御におけるデューティー比は０％であって供給される電流値は０ｍＡ（第１の値）であり、青色ＬＥＤ１０ＢのＰＷＭ制御におけるデューティー比は５０％であって供給される電流値は１０ｍＡ（第２の値）である。この場合、青色ＬＥＤ１０Ｂのみが発光するため、ＬＥＤ群１０の照明色は青色である。また、この場合、前記合計電流値は１０ｍＡであり、前記合計定格電流値（３０ｍＡ）に対して２０ｍＡの余裕がある状態となる。かかる状態において、操作部６０からの前記照明色変更操作に応じた操作信号が制御部４０に入力されると、制御部４０は、設定番号「４」の照明色設定データに替えて、記憶部５０の前記データテーブルから設定番号「５」の照明色設定データ（第２の照明色設定データ）を読み出し、各ＬＥＤ１０Ｒ，１０Ｇ，１０ＢのＰＷＭ制御におけるデューティー比を変更することで各ＬＥＤ１０Ｒ，１０Ｇ，１０Ｂに供給される電流値を変更する。設定番号「５」の照明色設定データにおいて、赤色ＬＥＤ１０ＲのＰＷＭ制御におけるデューティー比は０％となって供給される電流値は０ｍＡ（第１の値）となり、緑色ＬＥＤ１０ＧのＰＷＭ制御におけるデューティー比は０％となって供給される電流値は０ｍＡ（第１の値）となり、青色ＬＥＤ１０ＢのＰＷＭ制御におけるデューティー比は７５％となって供給される電流値は１５ｍＡ（第３の値）となる。この場合、青色ＬＥＤ１０Ｂに前記合計定格電流値の余裕分を振り分けて前記定格電流値（１０ｍＡ）よりも高い電流を供給し、より高い輝度で発光させることができる。
【００２３】
（設定番号「６」→設定番号「７」に照明色設定データが変更される場合）
各ＬＥＤ１０Ｒ，１０Ｇ，１０Ｂが設定番号「６」の照明色設定データ（第１の照明色設定データ）に応じて制御されている状態においては、赤色ＬＥＤ１０ＲのＰＷＭ制御におけるデューティー比は５０％であって供給される電流値は１０ｍＡ（第２の値）であり、緑色ＬＥＤ１０ＧのＰＷＭ制御におけるデューティー比は０％であって供給される電流値は０ｍＡ（第１の値）であり、青色ＬＥＤ１０ＢのＰＷＭ制御におけるデューティー比は０％であって供給される電流値は０ｍＡ（第１の値）である。この場合、赤色ＬＥＤ１０Ｒのみが発光するため、ＬＥＤ群１０の照明色は赤色である。また、この場合、前記合計電流値は１０ｍＡであり、前記合計定格電流値（３０ｍＡ）に対して２０ｍＡの余裕がある状態となる。かかる状態において、操作部６０からの前記照明色変更操作に応じた操作信号が制御部４０に入力されると、制御部４０は、設定番号「６」の照明色設定データに替えて、記憶部５０の前記データテーブルから設定番号「７」の照明色設定データ（第２の照明色設定データ）を読み出し、各ＬＥＤ１０Ｒ，１０Ｇ，１０ＢのＰＷＭ制御におけるデューティー比を変更することで各ＬＥＤ１０Ｒ，１０Ｇ，１０Ｂに供給される電流値を変更する。設定番号「７」の照明色設定データにおいて、赤色ＬＥＤ１０ＲのＰＷＭ制御におけるデューティー比は７５％となって供給される電流値は１５ｍＡ（第３の値）となり、緑色ＬＥＤ１０ＧのＰＷＭ制御におけるデューティー比は０％となって供給される電流値は０ｍＡ（第１の値）となり、青色ＬＥＤ１０ＢのＰＷＭ制御におけるデューティー比は０％となって供給される電流値は０ｍＡ（第１の値）となる。この場合、赤色ＬＥＤ１０Ｒに前記合計定格電流値の余裕分を振り分けて前記定格電流値（１０ｍＡ）よりも高い電流を供給し、より高い輝度で発光させることができる。
【００２４】
（設定番号「８」→設定番号「９」に照明色設定データが変更される場合）
各ＬＥＤ１０Ｒ，１０Ｇ，１０Ｂが設定番号「８」の照明色設定データ（第１の照明色設定データ）に応じて制御されている状態においては、赤色ＬＥＤ１０ＲのＰＷＭ制御におけるデューティー比は０％であって供給される電流値は０ｍＡ（第１の値）であり、緑色ＬＥＤ１０ＧのＰＷＭ制御におけるデューティー比は５０％であって供給される電流値は１０ｍＡ（第２の値）であり、青色ＬＥＤ１０ＢのＰＷＭ制御におけるデューティー比は５０％であって供給される電流値は１０ｍＡ（第２の値）である。この場合、緑色ＬＥＤ１０Ｇと青色ＬＥＤ１０Ｂが発光するため、ＬＥＤ群１０の照明色は青緑色である。また、この場合、前記合計電流値は２０ｍＡであり、前記合計定格電流値（３０ｍＡ）に対して１０ｍＡの余裕がある状態となる。かかる状態において、操作部６０からの前記照明色変更操作に応じた操作信号が制御部４０に入力されると、制御部４０は、設定番号「８」の照明色設定データに替えて、記憶部５０の前記データテーブルから設定番号「９」の照明色設定データ（第２の照明色設定データ）を読み出し、各ＬＥＤ１０Ｒ，１０Ｇ，１０ＢのＰＷＭ制御におけるデューティー比を変更することで各ＬＥＤ１０Ｒ，１０Ｇ，１０Ｂに供給される電流値を変更する。設定番号「９」の照明色設定データにおいて、赤色ＬＥＤ１０ＲのＰＷＭ制御におけるデューティー比は０％となって供給される電流値は０ｍＡ（第１の値）となり、緑色ＬＥＤ１０ＧのＰＷＭ制御におけるデューティー比は７５％となって供給される電流値は１５ｍＡ（第３の値）となり、青色ＬＥＤ１０ＢのＰＷＭ制御におけるデューティー比は７５％となって供給される電流値は１５ｍＡ（第３の値）となる。この場合、緑色ＬＥＤ１０Ｇ及び青色ＬＥＤ１０Ｂに前記合計定格電流値の余裕分を振り分けて前記定格電流値（１０ｍＡ）よりも高い電流値を供給し、より高い輝度で発光させることができる。さらに、各ＬＥＤ１０Ｒ，１０Ｇ，１０Ｂのうち複数が発光する場合では、発光するうちの１つについてデューティー比すなわち電流値が異なる複数の照明色設定データ（第１，第２の照明色設定データ）を持つことで、色度の変化によって照明表現の幅を広げることもできる。
【００２５】
本実施形態である照明装置１は、被照明体を照明する発光色の異なる複数の発光素子（赤色ＬＥＤ１０Ｒ，緑色ＬＥＤ１０Ｇ，青色ＬＥＤ１０Ｂ）と、各発光素子に供給する各電流値を制御する制御部４０と、前記被照明体を照明する照明色を変更する照明色変更操作を行う操作部６０と、を備えてなる照明装置１であって、
制御部４０は、前記照明色変更操作に応じて、各発光素子に供給する前記各電流値の合計を合計電流値としたとき、前記合計電流値が所定の合計制限電流値（合計定格電流値）を超えないように前記各電流値を設定し、かつ、少なくとも１つの発光素子に供給する電流値を、前記合計制限電流値を前記各発光素子のライン数で等分した制限電流値（定格電流値）より小さい値に設定する場合に、他の発光素子に供給する電流値を前記制限電流値より大きい値に設定可能である。
【００２６】
これによれば、前記合計定格電流値の余裕分を活用して、輝度の変更や色度の変化によって、照明表現の幅を広げることができる。
【００２７】
また、照明装置１は、前記各発光素子に供給する前記各電流値を設定する各設定データの組み合わせからなる複数種類の照明色設定データを記憶する記憶部５０を備え、
前記照明色設定データは、少なくとも１つの前記発光素子に供給する前記電流値を前記制限電流値よりも小さい第１の値に設定する第１の設定データと、前記他の発光素子に供給する前記電流値を前記制限電流値以下の第２の値に設定する第２の設定データと、を前記各設定データに含む第１の照明色設定データと、前記第１の設定データと、前記他の発光素子に供給する前記電流値を前記制限電流値より大きい第３の値に設定する第３の設定データと、を前記各設定データに含む第２の照明色設定データと、を少なくとも有し、
制御部４０は、前記照明色変更操作に応じて、前記第１の照明色設定データに替えて前記第２の照明色設定データを記憶部５０から読み出すことで、少なくとも１つの前記発光素子に供給する前記電流値を前記制限電流値より小さい値に設定する場合に、前記他の発光素子に供給する前記電流値を前記制限電流値より大きい値に設定可能である。
【００２８】
前記各設定データは、前記各発光素子のＰＷＭ制御におけるデューティー比である。
【００２９】
なお、本発明は前述の実施形態に限定されるものではなく、発明の趣旨を逸脱しない範囲内で種々の変更（構成要素の削除を含む）が可能であることはもちろんである。本発明の照明装置においては、発光色の異なる発光素子の数は複数であれば良く、２個であっても良いし、４個以上であっても良い。また、各発光素子のライン数も複数であれば良く、２本であっても良いし、４本以上であっても良い。さらに、本発明の照明装置は、車両用計器の表示板を照明するものに限定されず、車両用計器の指針を照明するものであってもよいし、被照明体は車両用計器に限定されるものではない。
【００３０】
操作部６０の照明色変更操作として、各ＬＥＤ１０Ｒ，１０Ｇ，１０ＢのＰＷＭ制御におけるデューティー比を個別に設定する、すなわち、各ＬＥＤ１０Ｒ，１０Ｇ，１０Ｂに供給する各電流値を個別に設定可能とする場合には、以下の制御方法によっても、制御部４０が、少なくとも１つの前記発光素子に供給する前記電流値を前記制限電流値より小さい値に設定する場合に、前記他の発光素子に供給する前記電流値を前記制限電流値より大きい値に設定可能とすることができる。
まず、制御部４０は、前記照明色変更操作に応じて変更したときの各ＬＥＤ１０Ｒ，１０Ｇ，１０Ｂのデューティー比から各ＬＥＤ１０Ｒ，１０Ｇ，１０Ｂに供給される各電流値の合計（変更後の合計電流値）を算出する。
そして、制御部４０は、この変更後の合計電流値が前記合計定格電流値を超えない場合には前記照明色変更操作に応じたデューティー比の変更、すなわち各ＬＥＤ１０Ｒ，１０Ｇ，１０Ｂに供給する電流値の変更を実行し、変更後の合計電流値が前記合計定格電流値を超える場合には前記照明色変更操作に応じたデューティー比の変更、すなわち各ＬＥＤ１０Ｒ，１０Ｇ，１０Ｂに供給する電流値の変更を実行しない。
【産業上の利用可能性】
【００３１】
本発明は、被照明体を照明する発光素子を備える照明装置に好適である。
【符号の説明】
【００３２】
１  照明装置
１０  ＬＥＤ群
１０Ｒ  赤色ＬＥＤ（発光素子）
１０Ｇ  緑色ＬＥＤ（発光素子）
１０Ｂ  青色ＬＥＤ（発光素子）
２１〜２３  トランジスタ
３１〜３３  制限抵抗
４０  制御部
５０  記憶部
６０  操作部
【図１】
0006390901.tif 000002
【図２】
0006390901.tif 000003